(57)【要約】【課題】綾織り生地の所定位置に生地の柄が配置されることになる被服の製造において、ハギレを少なくして歩留まりのよい、且つ、綾の揃った被服の製造が行い得るようにすること。【解決手段】被服の所定位置に生地１の柄４が配置されることになる被服の製造方法であって、前記生地１の両耳２、３を基準として、該生地１の幅方向の中央に向う所定の位置で、該生地１の長手方向に沿って柄４を織り込んで生地１を織製し、前記生地１を裏返し、該生地１の両耳を基端部２、３として、生地１の幅の中央部に向けて、夫々所定の前身頃の型布２Ａ，及び後身頃の型布３Ａを、長手方向に沿って順次切り取り、前記一方の前身頃の型布２Ａ，と他方の後身頃の型布３Ａを、裏返しの状態で縫製して綾を揃え、該生地１の裏側を被覆の表側として縫製する。【選択図】      図１
2006052511.tif 000002
【特許請求の範囲】
【請求項１】
綾織りされた生地１の所定位置に柄４が配置されることになる被服の製造方法であって、
前記生地１の両耳２、３を基準として、該生地１の幅方向の中央に向う所定の位置で、該生地１の長手方向に沿って柄４を織り込んで生地１を織製し、
前記生地１を裏返し、
該生地１の両耳を基端部２、３として、生地１の幅の中央部に向けて、夫々所定の前身頃の型布２Ａ，２Ｂ、２Ｃ・・・及び後身頃の型布３Ａ，３Ｂ、３Ｃ・・・を、長手方向に沿って順次切り取り、
前記一方の前身頃の型布２Ａ，と他方の後身頃の型布３Ａを、裏返しの状態で縫製して綾を揃え、該生地１の裏側を被服の表側として縫製する、
被服の製造方法。
【請求項２】
上記生地１の幅方向の中央位置に、中間位置の目印とするための目印用織り糸５がその長手方向に沿って織り込まれてある、
請求項１の被服の製造方法。
【請求項３】
生地１の両耳の基端部２、３の側に、該生地１の長手方向に沿って織柄４が織り込まれてある請求項１又は請求項２の何れかの被服の製造方法に用いる生地。
【請求項４】
請求項１又は請求項２の何れかの被服の製造方法により製造された被服。
【発明の詳細な説明】
【技術分野】
【０００１】  本発明は、長尺の綾織り生地（反物）から被服の型を切り出し、縫製して被服を製造する被服の製造方法、該製造方法に用いる生地及び該製造方法により製造された被服に関する。
【背景技術】
【０００２】  従来、長尺の綾織り生地（通常の反物、その他、）に型紙を当てて被服の型を切り出し（工場生産では工場生産用の長尺ロールをコンピューター制御による連続カット）、縫製して被服を製造する場合、この生地から前身頃、後身頃を夫々切り出すことになるが、例えば、スカート用の生地として切り出す場合、図４に示す如く、その前身頃６と後身頃７、表向けた生地１（正面視で生地の綾がノの字に表れている）の幅方向の端８が、スカートの裾側となるもので、この生地１の端８を裾として、所定の長さ（丈）を、生地１の長手方向に採り、その位置をカットしていた。【０００３】  このように、長尺の生地を、その長手方向で順次前身頃６と後身頃７とを切り採るのは、生地が所定の織り幅で織られているために、幅方向で、前身頃６と後身頃７の両方を切り採ることが出来ないという必然性があることと、切り出した型布を縫製した際、前身頃６と後身頃７との生地の綾が連続して揃うことが必要であるからである。即ち、前身頃６と後身頃７との生地の綾が食い違っていると（逆綾）、被服に光が反射したときに別生地のように奇異に映るからである。【０００４】  この従来技術に準じた裁断方法は、上述の図４に示す一般技術の他に、次のものが挙げられる。
【特許文献１】特開平９−８７９０６。ここでは、和装用子コート及びその裁断方法として、長尺生地の長手方向に順次前身頃と後身頃を切り採る方法が開示されている。
【発明の開示】
【発明が解決しようとする課題】
【０００５】  ところで、スカートやその他の被服で、所定位置に柄が織り込まれている場合（このような柄物は、スカート、ベスト、ジャケット等の需要がある）、上述の裁断方法では、長尺の生地に長手方向に所定の間隔で、幅方向に柄を織り込んでおき、前記スカートの所定の丈の位置に柄４が表れるように、その柄４を規準位置として、前身頃６と後身頃７とを、長手方向で順次切り出して行くことになる。【０００６】  しかし、スカート等は、着用者の身長に応じた丈が必要であり、図５に示す如く、必要な最大丈を規準として余裕をもった間隔Ｌで柄４を織り込んでおかなければ、長短丈のスカートの切り出しに対応出来ない。その為、これまでは、所要の丈の長さよりも余裕をもたせた間隔で柄を織り込み、丈の短いスカート生地を切り出した場合には、余分な布（ハギレ）が発生することになるが、これを廃棄等の処分としなければならず、極めて歩留まりが悪いものであった。【０００７】  本発明は、かかる問題点に鑑み、被服の所定位置に生地の柄が配置されることになる被服の製造において、ハギレを少なくして歩留まりのよい、且つ、綾の揃った被服の製造が行い得るようにすることを目的とする。
【課題を解決するための手段】
【０００８】  本発明にかかる被服の製造方法は、上記目的を達成するために、綾織りされた生地１の所定位置に柄４が配置されることになる被服の製造方法であって、
前記生地１の両耳２、３を基準として、該生地１の幅方向の中央に向う所定の位置で、該生地１の長手方向に沿って柄４を織り込んで生地１を織製し、
前記生地１を裏返し、
該生地１の両耳を基端部２、３として、生地１の幅の中央部に向けて、夫々所定の前身頃の型布２Ａ，２Ｂ、２Ｃ・・・及び後見ごろの型布３Ａ，３Ｂ、３Ｃ・・・を、長手方向に沿って順次切り取り、
前記一方の前身頃の型布２Ａ，と他方の後身頃の型布３Ａを、裏返しの状態で縫製して綾を揃え、該生地１の裏側を被服の表側として縫製する、
という手段を講じた。【０００８】  そして、本発明にかかる生地は、上記目的を達成するために、上記被服の製造方法に用いるために、生地１の両耳の基端部２、３の側に、該生地１の長手方向に沿って織柄４が織り込まれてある、という手段を講じたものである。【０００９】  また、本発明にかかる被服は、上記被服の製造方法により製造されたものである。
【発明の効果】
【００１０】  本発明によれば、被服の所定位置に生地の柄が配置されることになる被服、例えば、裾近辺に柄が位置する学生服のスカート、或いは、所定位置に柄が位置するジャケット、ベスト等の製造において、端布を少なくして歩留まりのよい被服の製造が行い得るようになった。【００１１】  即ち、柄を長尺生地の両耳近傍、又は、耳から所定の寸法離れた位置で、生地の長手方向に沿って柄を織り込んでおいて、この生地を裏返しにし、前記両耳を規準（例えば、スカートの裾）として、夫々、前身頃、後身頃を、所定の丈の寸法で、生地の幅方向に向けて切り込んで行くことによって、且つ、所謂生地の裏を表として用いることによって、丈の長短によるハギレを極力少なくすることが出来て、綾の揃った被服の製造が行い得るに到ったのである。
【発明を実施するための最良の態様】
【００１２】  本発明においては、上記生地１の幅方向の中央位置に、中間位置の目印とするための目印用織り糸５がその長手方向に沿って織り込まれてあるのが好ましい。このは、生地本体と異なる色の糸を用いるのが好ましい。
このように目印となる目印用織り糸５が織り込まれてあることで、両耳側からの切り込みを行う際の丈の最大寸法を採る際の目安とすることが出来て、裁断が容易に行い得る利点がある。
【００１３】  本発明における前身頃、後身頃とは、被服の縫製に言う前後の生地部分を意味することは勿論乍ら、被服を構成する左右対称の生地部分、例えば、肩部、袖部等の生地部分をも含む概念である。
又、生地の柄４は、生地本体の糸と異なる色の糸によるストライプ（出来上がりはボーダー）が基本とされるが、その他、適宜の柄を織り込むことが出来る。
【実施例１】
【００１４】  以下、本発明にかかる被服の製造方法、該製造方法に用いる生地、該製造方法により製造された被服の好適実施例について、図面を参照して説明する。【００１５】  この実施例は、綾織りされた生地１の所定位置に柄４が配置されることになる被服として、裾に柄４が織り込まれたスカートを対象としている。
図１に示す如く、先ず、所定の幅に綾織りされる生地１は、前記生地１の両耳２、３を基準として、該生地１の幅方向の中央に向う所定の位置で、該生地１の長手方向に沿って柄４を織り込んで織製される。
同時に、上記生地１の幅方向の中央位置に、中間位置の目印とするための目印用織り糸５がその長手方向に沿って織り込まれてある。【００１６】  そして、図１に示す如く、前記生地１は裁断に際して裏返しされる。即ち、通常の生地１の裁断とは異なり、生地１の表（生地の綾９がノの字となっている）を裏返し（逆ノの字、即ち逆綾）、これをそのまま被服（スカート）の表として用いるのである。【００１７】  次いで、図２に示す如く、該生地１の両耳を基端部２、３として、生地１の幅の中央部に向けて、夫々所定の前身頃の型布２Ａ，２Ｂ、２Ｃ・・・及び後身頃の型布３Ａ，３Ｂ、３Ｃ・・・を、長手方向に沿って順次切り取る。
そして、図３に示す如く、前記一方の前身頃の型布２Ａ，と他方の後身頃の型布３Ａを、裏返しの状態で縫製して綾を揃え、該生地１の裏側をスカートの表側として縫製する。
この際、裏返しの生地１の両耳側から切り出した前身頃の型布２Ａ，と、後身頃の型布３Ａとは、これを逢着すると、生地１の本来の正綾９、即ち、正面視でノの字となり、揃うことになる。
【産業上の利用可能性】
【００１８】  本発明によれば、被服の所定位置に柄を入れた被服の製造に対して適応できるので、各種の被服（婦人服、制服、子供服、紳士服等）を対象とすることが出来る他、裁断した生地を繋いで縫製する、即ち、綾が問題となる縫製物、例えば、帽子、タペストリー、ネクタイ、ソファーカバー、自動車の座席カバー、敷物等の各種の分野において、ハギレ発生の少ない状態で歩留まり良く生産できる。
【図面の簡単な説明】
【００１９】
【図１】実施例１の被服の製造方法を示す生地の正面図である。
【図２】実施例１の被服の製造方法を示す一工程図である。
【図３】実施例１の被服の製造方法を示す一工程図である。
【図４】従来例を示す生地の正面図である、
【図５】別の従来例を示す生地の正面図である、
【符号の説明】
【００２５】１：生地
２：耳
３：耳
２Ａ：前身頃の型布
２Ｂ：前身頃の型布
２Ｃ：前身頃の型布
３Ａ：後身頃の型布
３Ｂ：後身頃の型布
３Ｂ：後身頃の型布
４：柄
５：目印用織り糸
【図１】
2006052511.tif 000003
【図２】
2006052511.tif 000004
【図３】
2006052511.tif 000005
【図４】
2006052511.tif 000006
【図５】
2006052511.tif 000007